(57)【要約】【課題】効率良く且つ安定的に金鉱石から金精鉱を回収する。【解決手段】上面２ａに複数のリッフル３が配置され、リッフル３の伸長方向に揺動可能に設けられた揺動テーブル２を備え、リッフル３は、揺動テーブル２の上面２ａに複数配置された第１のリッフル３ａと、揺動テーブル２の上面２ａの第１のリッフル３ａが配置されていない平坦部１２に少なくとも１つ配置された第２のリッフル３ｂとを有し、第１のリッフル３ａは、添加水と共に供給された金鉱石からなる鉱粒を比重により選鉱して、平坦部１２に金線４０ａを発生させ、第２のリッフル３ｂは、平坦部１２の金線４０ａが現れ始める位置よりも、添加水の流れの下流側で、且つ、金線４０ａの流れの下流側に配置され、平坦部１２において添加水によって添加水の流れの下流側に移動して金線４０ａから外れた金鉱粒を再度金線４０ａに戻す。【選択図】図２
2016068074.tif 000002
【特許請求の範囲】
【請求項１】
金鉱石から金精鉱を回収する金精鉱の回収装置であって、
上面に複数のリッフルが配置され、前記リッフルの伸長方向に揺動可能に設けられた揺動テーブルを備え、
前記リッフルは、前記揺動テーブルの上面に複数配置された第１のリッフルと、前記揺動テーブルの上面の前記第１のリッフルが配置されていない平坦部に少なくとも１つ配置された第２のリッフルとを有し、
前記第１のリッフルは、添加水と共に供給された金鉱石からなる鉱粒を比重により選鉱して、前記平坦部に金線を発生させ、
前記第２のリッフルは、前記平坦部の金線が現れ始める位置よりも、前記添加水の流れの下流側で、且つ、前記金線の流れの下流側に配置され、前記平坦部において前記添加水によって前記添加水の流れの下流側に移動して前記金線から外れた金鉱粒を再度前記金線に戻すことを特徴とする金精鉱の回収装置。
【請求項２】
前記第２のリッフルは、前記平坦部において、前記第１のリッフルから前記揺動テーブルの一側面までの全範囲に亘って配置されていることを特徴とする請求項１に記載の金精鉱の回収装置。
【請求項３】
前記第２のリッフルは、前記第１のリッフル側の基端部が前記第１のリッフル間に配置されていることを特徴とする請求項１に記載の金精鉱の回収装置。
【請求項４】
揺動テーブルの上面に複数配置された第１のリッフルが、前記第１のリッフルの伸長方向に揺動される前記揺動テーブルの上面に添加水と共に供給された金鉱石からなる鉱粒を比重により選鉱して、前記揺動テーブルの上面の前記第１のリッフルが配置されていない平坦部に金線を発生させ、
前記平坦部に少なくとも１つ配置されると共に、前記平坦部の金線が現れ始める位置よりも前記添加水の流れの下流側で且つ前記金線の流れの下流側に配置された第２のリッフルが、前記平坦部において前記添加水によって前記添加水の流れの下流側に移動して前記金線から外れた金鉱粒を再度前記金線に戻すことを特徴とする金精鉱の回収方法。
【発明の詳細な説明】
【技術分野】
【０００１】
本発明は、脈石鉱物や硫化鉱物を含有する金鉱石から金精鉱を回収する金精鉱の回収装置及び回収方法に関する。
【背景技術】
【０００２】
鉱石から精鉱を得る選鉱方法は、従来から種々の方法が用いられている。例えば、金鉱石の選鉱方法としては、金鉱石を破砕した後に適当な粒度に微粉砕して、得られた鉱粒をシアン化物水溶液中に懸濁させて金を浸出するいわゆる青化法によって金を脈石鉱物や硫化鉱物から分離・濃縮する方法や、比重選鉱及び浮遊選鉱によって金鉱物を脈石鉱物や硫化鉱物から分離・濃縮した後に、さらに青化法により金を分離・濃縮する方法が採られている。
【０００３】
これらの方法で用いられる青化法では、鉱粒のうち粗大なものに含まれる金は、そのすべてを溶解させることができず、金の回収が不十分となる問題がある。
【０００４】
そこで、比重選鉱だけで直接精製可能な高品位の金精鉱を回収する方法としては、テーブル比重選鉱（揺動薄流選鉱ともいう）が提案されている（例えば、特許文献１参照）。また、上記テーブル比重選鉱と画像処理技術とを組み合わせて、仕切り板の調整を自動化する技術が提案されている（例えば、特許文献２参照）。
【０００５】
図２４は、テーブル比重選鉱の原理を説明する図である。このような選鉱方法では、複数のリッフル１０３が配置された揺動テーブル１０２を揺動駆動機構１１１によってリッフル１０３の伸長方向に揺動させつつ、揺動テーブル１０２に、給鉱樋１０４によって、揺動テーブル１０２の幅方向から鉱石を粉砕した鉱粒に水を加えて製造した鉱石スラリーを供給し、給水樋１０５によって、図２４中の矢印１６０に示すように、揺動テーブル１０２の幅方向から添加水を供給する。
【０００６】
すると、揺動テーブル１０２に供給された鉱石スラリーのうち、脈石鉱物や硫化鉱物等の比重の小さな低比重鉱粒は、揺動テーブル１０２の揺動運動とは無関係に、給水樋１０５からの添加水によってリッフル１０３を乗り越えて、図２４中の矢印１５０ａ，１５０ｂ，１５０ｃに示すように、揺動テーブル１０２の前側面１０２ｃ側に流れ落ちて、尾鉱として第１の尾鉱回収貯槽１０８に回収される。
【０００７】
その一方で、比重の大きな高比重鉱粒は、揺動テーブル１０２の揺動運動に伴って、リッフル１０３の伸長方向に沿って移動し、リッフル１０３からリッフル１０３が配置されていない平坦部１１２に流れ出る。鉱粒は、同じ比重であっても、粒径の大きなものは粒径の小さなものよりも給水樋１０５からの添加水等によって添加水の水流方向（揺動テーブル１０２の幅方向）に移動する傾向が強い。したがって、平坦部１１２には、高比重で粒径の小さな金品位の高い鉱粒の流れ１４０ａと、高比重で粒径の大きな鉱粒の流れ１４０ｂとが形成される。そして、仕切り板１０７によって、高比重で粒径の小さな金品位の高い鉱粒の流れ１４０ａと高比重で粒径の大きな鉱粒の流れ１４０ｂとが分離され、高比重で粒径の小さな金品位の高い鉱粒は、精鉱として精鉱回収貯槽１１０に回収され、高比重で粒径の大きな鉱粒は、尾鉱として第２の尾鉱回収貯槽１０９に回収される。なお、金品位の高い鉱粒の流れの部分を金線という。
【０００８】
このような方法によって得られた金精鉱は、直接熔錬し、鋳造され、純度が９０％以上のインゴットの製品（ドーレとも言う場合がある）として、生産される。
【先行技術文献】
【特許文献】
【０００９】
【特許文献１】米国特許第６８１８０４２号公報
【特許文献２】特開２０１２−１３９６７５号公報
【発明の概要】
【発明が解決しようとする課題】
【００１０】
ここで、金鉱石の性状によっては、金鉱石を適当な粒度に微粉砕しても、比重が大きく（＝金含有量が多く）、粒径が１００μｍ程度の微細な鉱粒と、微細な鉱粒と同様に比重が大きく、粒径が２００〜５００μｍ程度の粗大な鉱粒とが得られる場合がある。この場合、高比重で粒径の大きな金鉱粒の一部は、図２４に示すように、平坦部１１２を流れる際に、給水樋１０５からの添加水等によって添加水の水流方向に移動し、高比重で粒径の小さな金品位の高い鉱粒の流れ（第１の金線）１４０ａと別の流れを形成する。すなわち、高比重で粒径の大きな金鉱粒の一部は、高比重で粒径の大きな金品位の高い鉱粒の流れ（第２の金線）１４０ｃを形成しつつ、高比重で粒径の大きな鉱粒の流れ（尾鉱層）１４０ｂの中に含まれて、尾鉱として回収されていた。
【００１１】
また、別の問題として、高比重で粒径の小さな金品位の高い鉱粒の流れ（第１の金線）１４０ａが直線でない時には、仕切り板１０７によって、高比重で粒径の小さな金品位の高い鉱粒の流れ（第１の金線）１４０ａと高比重で粒径の大きな鉱粒の流れ（尾鉱層）１４０ｂとを分離するときの誤差が大きくなり、安定した操業が阻害されていた。すなわち、第１の金線１４０ａにぶれやうねりがある場合には、本来精鉱として回収されるものが尾鉱として回収され、本来尾鉱として回収されるものが精鉱として回収される虞がある。更に、操業中には、第１の金線１４０ａを監視して、第１の金線１４０ａのぶれやうねりに合わせて仕切り板１０７を動かす必要がある。
【００１２】
本発明は、以上のような問題点に鑑みてなされたものであり、効率良く且つ安定的に金鉱石から金精鉱が回収可能な金精鉱の回収装置及び回収方法を提供することを目的とする。
【課題を解決するための手段】
【００１３】
本発明に係る金精鉱の回収装置は、金鉱石から金精鉱を回収する金精鉱の回収装置であって、上面に複数のリッフルが配置され、前記リッフルの伸長方向に揺動可能に設けられた揺動テーブルを備え、前記リッフルは、前記揺動テーブルの上面に複数配置された第１のリッフルと、前記揺動テーブルの上面の前記第１のリッフルが配置されていない平坦部に少なくとも１つ配置された第２のリッフルとを有し、前記第１のリッフルは、添加水と共に供給された金鉱石からなる鉱粒を比重により選鉱して、前記平坦部に金線を発生させ、前記第２のリッフルは、前記平坦部の金線が現れ始める位置よりも、前記添加水の流れの下流側で、且つ、前記金線の流れの下流側に配置され、前記平坦部において前記添加水によって前記添加水の流れの下流側に移動して前記金線から外れた金鉱粒を再度前記金線に戻すことを特徴とする。
【００１４】
本発明に係る金精鉱の回収方法は、揺動テーブルの上面に複数配置された第１のリッフルが、前記第１のリッフルの伸長方向に揺動される前記揺動テーブルの上面に添加水と共に供給された金鉱石からなる鉱粒を比重により選鉱して、前記揺動テーブルの上面の前記第１のリッフルが配置されていない平坦部に金線を発生させ、前記平坦部に少なくとも１つ配置されると共に、前記平坦部の金線が現れ始める位置よりも前記添加水の流れの下流側で且つ前記金線の流れの下流側に配置された第２のリッフルが、前記平坦部において前記添加水によって前記添加水の流れの下流側に移動して前記金線から外れた金鉱粒を再度前記金線に戻すことを特徴とする。
【発明の効果】
【００１５】
本発明は、テーブル比重選鉱機の揺動テーブルの上面に、添加水と共に供給された金鉱石からなる鉱粒を比重により選鉱する第１のリッフルを配置することに加え、揺動テーブルの上面の第１のリッフルが配置されていなく金線が発生する平坦部に、この平坦部の金線が現れ始める位置よりも添加水の流れの下流側で且つ金線の流れの下流側に少なくとも１つ第２のリッフルを配置している。したがって、本発明によれば、この第２のリッフルが、平坦部において添加水によって添加水の流れの下流側に移動して金線から外れた金鉱粒を再度金線に戻すことで、高比重で粒径の小さな金鉱粒に加え、従来尾鉱として回収されていた高比重で粒径の大きな金鉱粒も精鉱として回収することができ、効率良く金鉱粒を回収することができる。
【００１６】
また、本発明によれば、第２のリッフルが平坦部の金線が現れ始める位置よりも添加水の流れの下流側で且つ金線の流れの下流側に少なくとも１つ配置されることで、金線がより直線的となり、金線がぶれることやうねることを低減することができる。したがって、本発明によれば、本来精鉱として回収されるものが尾鉱として回収され、本来尾鉱として回収されるものが精鉱として回収されることを従来よりも低減することができ、高比重で粒径の小さな金品位の高い鉱粒の流れ（第１の金線）と高比重で粒径の大きな鉱粒の流れ（尾鉱層）とを分離するときの誤差が小さくなり、効率良く且つ安定的に金鉱粒を回収することができる。更に、本発明によれば、金線がより直線的となることで、操業中に金線を監視して、金線のぶれやうねりに合わせて、仕切り板を動かすことが低減する又はなくなり、効率良く且つ安定的に金鉱粒を回収することができる。
【図面の簡単な説明】
【００１７】
【図１】テーブル比重選鉱機を示した斜視図である。
【図２】テーブル比重選鉱機の第１の実施例を示した平面図である。
【図３】揺動テーブルの第１の実施例を示した平面図である。
【図４】揺動テーブルの第１の実施例を示した底面図である。
【図５】揺動テーブルの第１の実施例を示した正面図である。
【図６】揺動テーブルの第１の実施例を示した背面図である。
【図７】揺動テーブルの第１の実施例を示した左側面図である。
【図８】揺動テーブルの第１の実施例を示した右側面図である。
【図９】テーブル比重選鉱機の第２の実施例を示した平面図である。
【図１０】揺動テーブルの第２の実施例を示した平面図である。
【図１１】揺動テーブルの第２の実施例を示した底面図である。
【図１２】揺動テーブルの第２の実施例を示した正面図である。
【図１３】揺動テーブルの第２の実施例を示した背面図である。
【図１４】揺動テーブルの第２の実施例を示した左側面図である。
【図１５】揺動テーブルの第２の実施例を示した右側面図である。
【図１６】テーブル比重選鉱機の第３の実施例を示した平面図である。
【図１７】揺動テーブルの第３の実施例を示した平面図である。
【図１８】揺動テーブルの第３の実施例を示した底面図である。
【図１９】揺動テーブルの第３の実施例を示した正面図である。
【図２０】揺動テーブルの第３の実施例を示した背面図である。
【図２１】揺動テーブルの第３の実施例を示した左側面図である。
【図２２】揺動テーブルの第３の実施例を示した右側面図である。
【図２３】揺動テーブルの第４の実施例を示した平面図である。
【図２４】従来のテーブル比重選鉱機を示した平面図である。
【発明を実施するための形態】
【００１８】
以下、本発明を適用した金精鉱の回収装置及び回収方法について、図面を参照しながら詳細に説明する。なお、本発明は、以下の例に限定されるものではなく、本発明の要旨を逸脱しない範囲で任意に変更可能である。
【００１９】
図１及び図２に示すように、金精鉱の回収装置であるテーブル比重選鉱機１は、リッフル３を有する揺動テーブル２と、揺動テーブル２の上面２ａに鉱石スラリーを供給する給鉱樋４と、揺動テーブル２の上面２ａに添加水を供給する給水樋５と、給鉱樋４及び給水樋５から供給された鉱石スラリー及び添加水が揺動テーブル２の上面２ａから流れ落ちるのを堰き止める堰６と、金精鉱と尾鉱とを仕切る仕切り板７と、尾鉱を回収する第１及び第２の尾鉱回収貯槽８，９と、金精鉱を回収する精鉱回収貯槽１０とを備えている。
【００２０】
図１及び図２に示すように、揺動テーブル２は、例えば、平面視平行四辺形状の木製の板部材又は金属製の板部材上に木製の板部材が積層された板部材等で構成されている。一例としては、揺動テーブル２は、右側面２ｅと左側面２ｆ間の長さ方向の長さが９９．８インチで、前側面２ｃと後側面２ｄ間の長さ方向と直交する幅方向の長さが５２．５インチで、上面２ａと下面２ｂ間の厚さ方向の長さが４インチで、前側面２ｃと左側面２ｆとのなす角が７０．５度の平面視平行四辺形状の板部材で構成されている。なお、上述した揺動テーブル２の各長さ及び角度等は一例であって、これに限定されるものではなく、適宜変更可能である。
【００２１】
また、図１及び図２に示すように、揺動テーブル２の上面２ａには、上方に突出したリッフル３が複数個配置されている。このリッフル３は、例えば、揺動テーブル２の上面２ａの左後角部及び後側面２ｄ側を除いた揺動テーブル２の上面２ａの全体に配置されている。更に、リッフル３は、揺動テーブル２の上面２ａに、揺動テーブル２の長さ方向（幅方向）と所定の角度をなして配置されている。なお、リッフル３については追って詳細に説明する。
【００２２】
また、図１及び図２に示すように、揺動テーブル２は、例えば、支持台（不図示）の上にレール等の揺動支持機構（不図示）を介して揺動可能に支持され、揺動駆動機構１１によってリッフル３の伸長方向に揺動される。更に、揺動テーブル２は、後側面２ｄ側が前側面２ｃ側よりも上方に配置されて、上面２ａが勾配（傾斜）を有するように設けられている。一例としては、揺動テーブル２の上面２ａは、水平に対して６度の勾配（傾斜）を有するように設けられている。なお、上述した揺動テーブル２の角度等は一例であって、これに限定されるものではなく、適宜変更可能である。
【００２３】
また、図１及び図２に示すように、揺動テーブル２の上面２ａの後側面２ｄ側の右側面２ｅ側には、給鉱樋４が設けられている。この給鉱樋４は、例えば、堰６に取り付けられ、金鉱石を粉砕して鉱粒として水を加えて製造した鉱石スラリーを揺動テーブル２の上面２ａに連続的に供給する。この給鉱樋４から供給される鉱石スラリーは、揺動テーブル２の上面２ａの勾配（傾斜）に応じて、さらに、鉱石スラリー中の鉱粒の比重と粒径とに応じて、図２中の矢印５０ａ，５０ｂ，５０ｃに示すように、揺動テーブル２の上面２ａの右後角部から、前側面２ｃや上面２ａの左前角部や左側面２ｆ等に向けて流れる。
【００２４】
また、図１及び図２に示すように、揺動テーブル２の上面２ａの後側面２ｄ側の左側面２ｆ側には、給水樋５が設けられている。この給水樋５は、例えば、給鉱樋４の左側面２ｆ側に隣接して堰６に取り付けられ、揺動テーブル２の上面２ａに添加水を連続的に供給する。この給水樋５から供給される添加水は、揺動テーブル２の上面２ａの勾配（傾斜）に応じて、図２中の矢印６０に示すように、揺動テーブル２の後側面２ｄ側から前側面２ｃ側（揺動テーブル２の幅方向）に向けて流れる。
【００２５】
なお、給鉱樋４と給水樋５とは、一体に設けられて樋部材を構成するようにしても良い。また、給鉱樋４及び給水樋５は、堰６に取り付けられることに限定されるものではなく、揺動テーブル２に取り付けられるようにしても良く、テーブル比重選鉱機１のその他の構成部材に取り付けられるようにしても良い。
【００２６】
また、図１及び図２に示すように、揺動テーブル２の後側面２ｄ、右側面２ｅ及び前側面２ｃの右側面２ｅ側の一部には、壁状の堰６が設けられている。この堰６は、上端部が揺動テーブル２の上面２ａから上方に突出するように、揺動テーブル２の各側面２ｄ，２ｅ，２ｃに取り付けられている。一例としては、厚さが１インチで、揺動テーブル２の上面２ａと下面２ｂ間の厚さ方向の長さが９インチで、揺動テーブル２の上面２ａから５インチ突出するように、揺動テーブル２の各側面２ｄ，２ｅ，２ｃに取り付けられている。これにより、堰６は、給鉱樋４から揺動テーブル２の上面２ａに供給された鉱石スラリー及び給水樋５から揺動テーブル２の上面２ａに供給された添加水が揺動テーブル２の後側面２ｄ及び右側面２ｅから流れ落ちることを防止する。なお、上述した堰６の厚さ、長さ及び突出量等は一例であって、これに限定されるものではなく、適宜変更可能である。
【００２７】
リッフル３は、図２〜図８に示すように、例えば、揺動テーブル２の上面２ａの左後角部及び後側面２ｄ側を除いた揺動テーブル２の上面２ａの全体に複数個配置されている。更に、リッフル３は、揺動テーブル２の上面２ａに、揺動テーブル２の長さ方向（幅方向）と所定の角度をなして配置されている。更に、リッフル３は、第１のリッフル３ａと第２のリッフル３ｂとで構成されている。
【００２８】
第１のリッフル３ａは、図２〜図８に示すように、例えば長尺部材で構成されている。更に、第１のリッフル３ａは、揺動テーブル２の上面２ａに、揺動テーブル２の長さ方向（前側面２ｃ）に対して所定の角度傾けて、等間隔に複数個配置されている。一例としては、第１のリッフル３ａは、厚さが０．３インチで、揺動テーブル２の上面２ａと下面２ｂ間の厚さ方向の長さが１インチの長尺部材で構成されている。更に、第１のリッフル３ａは、揺動テーブル２の長さ方向（前側面２ｃ）に対して揺動テーブル２の後側面２ｄ側に１９．５度傾けて、別の言い方をすると、揺動テーブル２の右側面２ｅ（左側面２ｆ）に対して９０度傾けて、等間隔に６０個、揺動テーブル２の上面２ａに配置されている。なお、上述した第１のリッフル３ａの厚さ、長さ、角度及び個数等は一例であって、これに限定されるものではなく、適宜変更可能である。
【００２９】
また、第１のリッフル３ａは、上流リッフル３ａ１と、中流リッフル３ａ２と、下流リッフル３ａ３とで構成され、揺動テーブル２の後側面２ｄ側から前側面２ｃ側に向けて、上流リッフル３ａ１、中流リッフル３ａ２、下流リッフル３ａ３の順に揺動テーブル２の上面２ａに配置されている。これら上流リッフル３ａ１、中流リッフル３ａ２及び下流リッフル３ａ３は、それぞれ複数個のリッフルで構成されている。
【００３０】
上流リッフル３ａ１は、揺動テーブル２の後側面２ｄ側から前側面２ｃ側に向けて、長さが漸増していくように設けられている。一例としては、上流リッフル３ａ１は、左側面２ｆ側の先端部を結んだ線Ｌ１が揺動テーブル２の長さ方向に対して後側面２ｄ側に３７．４度の角度をなすように、別の言い方をすると、揺動テーブル２の幅方向に対して右側面２ｅ側に５２．６度の角度をなすように設けられている。更に、別の言い方をすると、上流リッフル３ａ１は、先端部を結んだ線Ｌ１と中流リッフル３ａ２の伸長方向とのなす角が１２３．１度となるように設けられている。
【００３１】
中流リッフル３ａ２は、上流リッフル３ａ１よりも伸長方向に長く設けられている。更に、中流リッフル３ａ２は、上流リッフル３ａ１と同様に、揺動テーブル２の後側面２ｄ側から前側面２ｃ側に向けて、長さが漸増していくように設けられている。一例としては、中流リッフル３ａ２は、上流リッフル３ａ１と同様に、左側面２ｆ側の先端部を結んだ線Ｌ２が揺動テーブル２の長さ方向に対して後側面２ｄ側に３７．４度の角度をなすように、別の言い方をすると、揺動テーブル２の幅方向に対して右側面２ｅ側に５２．６度の角度をなすように設けられている。更に、別の言い方をすると、中流リッフル３ａ２は、先端部を結んだ線Ｌ２と下流リッフル３ａ３の伸長方向とのなす角が１２３．１度となるように設けられている。すなわち、中流リッフル３ａ２の先端部を結んだ線Ｌ２は、上流リッフル３ａ１の先端部を結んだ線Ｌ１と平行となるように設けられている。
【００３２】
下流リッフル３ａ３は、揺動テーブル２の上面２ａから左側面２ｆに亘って配置されている。
【００３３】
なお、上述した上流リッフル３ａ１及び中流リッフル３ａ２の先端部を結んだ線Ｌ１，Ｌ２の角度は一例であって、これに限定されるものではなく、適宜変更可能である。更に、上流リッフル３ａ１及び中流リッフル３ａ２の先端部を結んだ線Ｌ１，Ｌ２の角度は同じであることに限定されるものではなく、異なるように設けても良い。
【００３４】
また、揺動テーブル２の上面２ａには、左後角部に、第１のリッフル３ａが配置されていない平坦部１２が設けられている。この平坦部１２は、平面視略三角形状に形成されている。そして、この平坦部１２には、図２に示すように、第１のリッフル３ａによって添加水と共に供給された金鉱石からなる鉱粒が比重により選鉱されると、第１の金線４０ａが発生する。一例としては、第１の金線４０ａは、第１のリッフル３ａの中流リッフル３ａ２の最も後側面２ｄ側（最上段）のリッフルの左側面２ｆ側の先端部から揺動テーブル２の平坦部１２に発生して、揺動テーブル２の左側面２ｆに向けて流れる。
【００３５】
第２のリッフル３ｂは、図２〜図８に示すように、第１のリッフル３ａと同様に、例えば長尺部材で構成されている。更に、第２のリッフル３ｂは、揺動テーブル２の平坦部１２において、平坦部１２の第１の金線４０ａが現れ始める位置よりも、添加水の流れの下流側で、且つ、第１の金線４０ａの流れの下流側に配置されている。更に、第２のリッフル３ｂは、揺動テーブル２の平坦部１２に、第１のリッフル３ａと平行となるように、揺動テーブル２の長さ方向（前側面２ｃ）に対して所定の角度傾けて、等間隔又は不等間隔に複数個配置されている。
【００３６】
一例としては、第２のリッフル３ｂは、厚さが０．３インチで、揺動テーブル２の上面２ａと下面２ｂ間の厚さ方向の長さが１インチで、伸長方向の長さが９インチの長尺部材で構成されている。更に、第２のリッフル３ｂは、揺動テーブル２の平坦部１２において、第１の金線４０ａが発生する第１のリッフル３ａの中流リッフル３ａ２の最上段のリッフルの先端部よりも、揺動テーブル２の前側面２ｃ側で且つ揺動テーブル２の左側面２ｆ側に配置されている。更に、第２のリッフル３ｂは、揺動テーブル２の長さ方向（前側面２ｃ）に対して１９．５度、揺動テーブル２の後側面２ｄ側に傾けて、別の言い方をすると、揺動テーブル２の右側面２ｅ（左側面２ｆ）に対して９０度傾けて、５個、揺動テーブル２の平坦部１２に配置されている。
【００３７】
更に、第２のリッフル３ｂは、左側面２ｆ側の先端部を結んだ線Ｌ３が揺動テーブル２の長さ方向に対して後側面２ｄ側に１０．１度、別の言い方をすると、揺動テーブル２の幅方向に対して右側面２ｅ側に７９．９度の角度をなすように設けられている。更に、別の言い方をすると、第２のリッフル３ｂは、先端部を結んだ線Ｌ３と中流リッフル３ａ２の先端部を結んだ線Ｌ２とのなす角が２７．３度となるように設けられている。
【００３８】
なお、上述した第２のリッフル３ｂの厚さ、各長さ、角度及び個数等は一例であって、これに限定されるものではなく、適宜変更可能である。また、第１の金線４０ａは、第１のリッフル３ａの中流リッフル３ａ２の最上段のリッフルの先端部から発生することに限定されるものではなく、最上段から数段目のリッフルから発生するようにしても良い。この場合、第２のリッフル３ｂは、揺動テーブル２の平坦部１２において、その最上段から数段目のリッフルの先端部よりも、揺動テーブル２の前側面２ｃ側で且つ揺動テーブル２の左側面２ｆ側に配置されるようにする。具体的には、第２のリッフル３ｂの先端部を結んだ線Ｌ３と第１のリッフル３ａの中流リッフル３ａ２の先端部を結んだ線Ｌ２との交点Ｐがその最上段から数段目のリッフルの先端部よりも、揺動テーブル２の前側面２ｃ側に配置されるようにする。
【００３９】
このようなリッフル３は、例えば、次のようにして揺動テーブル２の上面２ａに配置される。揺動テーブル２よりもやや大きなゴムシートや樹脂シートの本体シートに、上述した第１のリッフル３ａ及び第２のリッフル３ｂに対応するように形成されたゴム製や樹脂製の長尺部材を貼り付けて、この第１のリッフル３ａ及び第２のリッフル３ｂが取り付けられた本体シートを木製の揺動テーブル２の上面２ａに配置してステープル等で取り付けることで、リッフル３は、揺動テーブル２の上面２ａに配置される。一例としては、本体シート及び長尺部材、すなわち、リッフル３は、リノリウムで形成される。
【００４０】
以上のような構成を有するテーブル比重選鉱機１は、下記のようにして、脈石鉱物や硫化鉱物を含有する金鉱石から金精鉱を回収する。
【００４１】
先ず、テーブル比重選鉱機１は、図２に示すように、揺動テーブル２が揺動駆動機構１１によってリッフル３の伸長方向に揺動される。更に、テーブル比重選鉱機１は、揺動テーブル２の上面２ａに、給鉱樋４から鉱石スラリーが連続的に供給され、給水樋５から添加水が連続的に供給される。
【００４２】
すると、揺動テーブル２の上面２ａに供給された鉱石スラリーのうち、脈石鉱物や硫化鉱物等の比重の小さな低比重鉱粒は、揺動テーブル２の揺動運動とは無関係に、揺動テーブル２の幅方向に流れる添加水の水流の抵抗を受けて、添加水の水流方向（揺動テーブル２の幅方向）に第１のリッフル３ａを乗り越えて移動する。そして、低比重鉱粒は、揺動テーブル２の前側面２ｃから脱落して、尾鉱として、揺動テーブル２の前側面２ｃ側に設けられた第１の尾鉱回収貯槽８に添加水と共に回収される。
【００４３】
その一方で、比重の大きな高比重鉱粒は、揺動テーブル２の揺動運動に伴って、第１のリッフル３ａに沿って伸長方向に移動する。そして、高比重鉱粒は、例えば、第１のリッフル３ａの中流リッフル３ａ２の最上段のリッフルの先端部から平坦部１２に流れ出る。
【００４４】
ここで、平坦部１２を流れる高比重鉱粒は、同じ比重の鉱粒であっても、粒径が大きなものは給水樋５からの添加水により添加水の水流方向に移動する傾向が強い。したがって、平坦部１２には、高比重で粒径の小さな金品位の高い鉱粒の流れ（第１の金線）４０ａと、高比重で粒径の大きな鉱粒の流れ（尾鉱層）４０ｂとが形成される。更に、高比重で粒径の大きな金鉱粒の一部は、平坦部１２を流れる際に、給水樋５からの添加水等によって添加水の水流方向に移動して、第１の金線４０ａと別の流れ（第２の金線）を形成する。しかしながら、このテーブル比重選鉱機１では、平坦部１２に第２のリッフル３ｂが配置されているので、平坦部１２上を添加水の水流の抵抗を受けて添加水の水流方向に移動した高比重で粒径の大きな金鉱粒を、第２のリッフル３ｂによって、再度第１の金線４０ａに戻すことができ、高比重で粒径の大きな金鉱粒からなる第２の金線を流れる金鉱粒の量を従来よりも少なくする又は無くすことができる。
【００４５】
次いで、テーブル比重選鉱機１は、例えば揺動テーブル２の左側面２ｆに沿って移動可能に設けられた仕切り板７によって、第１の金線４０ａと尾鉱層４０ｂとを分離させる。次いで、テーブル比重選鉱機１は、第１の金線４０ａが揺動テーブル２の左側面２ｆ側に設けられた精鉱回収貯槽１０に添加水と共に回収される。更に、テーブル比重選鉱機１は、尾鉱層４０ｂが揺動テーブル２の左側面２ｆ側に設けられた第２の尾鉱回収貯槽９に添加水と共に回収される。
【００４６】
以上のようにして、テーブル比重選鉱機１は、脈石鉱物や硫化鉱物を含有する金鉱石から金精鉱を回収する。
【００４７】
以上のように、テーブル比重選鉱機１は、揺動テーブル２の上面２ａに、添加水と共に供給された金鉱石からなる鉱粒を比重により選鉱する第１のリッフル３ａが配置されることに加え、揺動テーブル２の上面２ａの第１のリッフル３ａが配置されていなく第１の金線４０ａが発生する平坦部１２に、この平坦部１２の第１の金線４０ａが現れ始める位置よりも添加水の流れの下流側で且つ第１の金線４０ａの流れの下流側に第２のリッフル３ｂが配置されている。したがって、テーブル比重選鉱機１は、第２のリッフル３ｂが、平坦部１２において添加水によって添加水の流れの下流側に移動して第１の金線４０ａから外れた金鉱粒を再度第１の金線４０ａに戻すことができる。よって、テーブル比重選鉱機１は、高比重で粒径の小さな金鉱粒に加え、従来尾鉱として回収されていた比重が大きくて粒径の大きな金鉱粒も精鉱として回収することができ、効率良く金鉱粒を回収することができる。
【００４８】
また、テーブル比重選鉱機１は、第２のリッフル３ｂが平坦部１２の第１の金線４０ａが現れ始める位置よりも添加水の流れの下流側で且つ第１の金線４０ａの流れの下流側に配置され、第１の金線４０ａが第２のリッフル３ｂに沿って流れることで、第１の金線４０ａがより直線的になり、第１の金線４０ａがぶれることやうねることを低減することができる。したがって、テーブル比重選鉱機１は、本来精鉱として回収されるものが尾鉱として回収され、本来尾鉱として回収されるものが精鉱として回収されることを従来よりも低減することができ、高比重で粒径の小さな金品位の高い鉱粒の流れ（第１の金線）４０ａと高比重で粒径の大きな鉱粒の流れ（尾鉱層）４０ｂとを分離するときの誤差が小さくなり、効率良く且つ安定的に金鉱粒を回収することができる。更に、テーブル比重選鉱機１は、第１の金線４０ａが第２のリッフル３ｂに沿って流れてより直線的となるので、例えば仕切り板７を第２のリッフル３ｂの先端部を結んだ線Ｌ３の延長線上に配置することで、操業中に第１の金線４０ａを監視して、第１の金線４０ａのぶれやうねりに合わせて、仕切り板７を動かす手間が低減する又はなくなり、効率良く且つ安定的に金鉱粒を回収することができる。
【００４９】
なお、第２のリッフル３ｂは、平坦部１２に５個配置されることに限定されるものではなく、第１の金線４０ａから外れた高比重で粒径の大きな金鉱粒を再度第１の金線４０ａに戻すことができれば良く、平坦部１２に何個配置されるかは適宜変更可能である。一例としては、第２のリッフル３ｂは、図９〜図１５に示すように、図２〜図８に示す揺動テーブル２の前側面２ｃ側にさらに２個加えられて、平坦部１２に全部で７個配置される。このような第２のリッフル３ｂは、配置数が増加するのに伴って、第１の金線４０ａから外れた高比重で粒径の大きな金鉱粒をより多く再度第１の金線４０ａに戻すことができるので、より多く金鉱粒を回収することができる。更に、第２のリッフル３ｂは、第２のリッフル３ｂの配置数が増加するのに伴って、平坦部１２のより広い範囲に配置されるので、第１の金線４０ａがより直線的になり、第１の金線４０ａがぶれることやうねることを低減することができ、より効率良く且つ安定的に金鉱粒を回収することができる。
【００５０】
また、第２のリッフル３ｂは、図１６〜図２２に示すように、第１のリッフル３ａから揺動テーブル２の左側面２ｆまでの全範囲に配置されるようにしても良い。一例としては、第２のリッフル３ｂは、図１６〜図２２に示すように、図９〜図１５に示す揺動テーブル２の後側面２ｄ側にさらに４個加えられて、平坦部１２に全部で１１個配置されて、第１のリッフル３ａから揺動テーブル２の左側面２ｆ（仕切り板７）までの全範囲に配置される。このような第２のリッフル３ｂは、配置数が増加するのに伴って、第１の金線４０ａから外れた高比重で粒径の大きな金鉱粒をより多く再度第１の金線４０ａに戻すことができるので、平坦部１２の第１のリッフル３ａから揺動テーブル２の左側面２ｆまでの間の何れかの範囲に第２のリッフル３ｂが配置されている場合よりも、金鉱粒を多く回収することができる。更に、このような第２のリッフル３ｂは、平坦部１２の第１のリッフル３ａから揺動テーブル２の左側面２ｆまでの全範囲に配置されているので、平坦部１２の第１のリッフル３ａから揺動テーブル２の左側面２ｆまでの間の何れかの範囲に配置されている場合よりも、第１の金線４０ａが直線的になり、第１の金線４０ａがぶれることやうねることを低減することができ、より効率良く且つ安定的に金鉱粒を回収することができる。
【００５１】
また、第２のリッフル３ｂは、図１６〜図２２に示すように、長さが一定であることに限定されるものではなく、異なるように設けても良い。
【００５２】
また、第２のリッフル３ｂは、図１６〜図２２に示すように、第２のリッフル３ｂの右側面２ｅ側の基端部が第１のリッフル３ａの中流リッフル３ａ２の先端部を結んだ線Ｌ２上に配置されて、第２のリッフル３ｂの基端部と第１のリッフル３ａの中流リッフル３ａ２の先端部との間に隙間を無くして配置するようにしても良い。一例としては、上段８個の第２のリッフル３ｂの基端部が第１のリッフル３ａの中流リッフル３ａ２の先端部を結んだ線Ｌ２上に配置される。このような第２のリッフル３ｂは、第２のリッフル３ｂの基端部と第１のリッフル３ａの中流リッフル３ａ２の先端部との間に隙間が無いので、この隙間から金鉱粒が流れ落ちることを防止することができる。更に、このような第２のリッフル３ｂは、第１の金線４０ａから外れた高比重で粒径の大きな金鉱粒が一の第２のリッフル３ｂを乗り越えたとしても、それよりも下流の第２のリッフル３ｂで乗り越えた金鉱粒を再度第１の金線４０ａに戻すことができる。したがって、このような第２のリッフル３ｂは、第１のリッフル３ａとの間が離間している場合よりも、金鉱粒を多く回収することができる。
【００５３】
更に、第２のリッフル３ｂは、図２３に示すように、第２のリッフル３ｂの基端部が第１のリッフル３ａの中流リッフル３ａ２の先端部を結んだ線Ｌ２よりも右側面２ｅ側に配置されて、第１のリッフル３ａの中流リッフル３ａ２間に配置されるようにしても良い。一例としては、上段８個の第２のリッフル３ｂの基端部が第１のリッフル３ａの中流リッフル３ａ２の先端部を結んだ線Ｌ２よりも右側面２ｅ側に配置される。このような第２のリッフル３ｂは、第１のリッフル３ａと重なるように配置されているので、第２のリッフル３ｂの基端部と第１のリッフル３ａの中流リッフル３ａ２の先端部との間の隙間から金鉱粒が流れ落ちることを防止することができる。更に、このような第２のリッフル３ｂは、第１のリッフル３ａと重なるように配置されているので、第１の金線４０ａから外れた高比重で粒径の大きな金鉱粒が一の第２のリッフル３ｂを乗り越えたとしても、それよりも下流の第１のリッフル３ａ及び第２のリッフル３ｂで乗り越えた金鉱粒を再度第１の金線４０ａに戻すことができる。したがって、このような第２のリッフル３ｂは、第２のリッフル３ｂの基端部が第１のリッフル３ａの中流リッフル３ａ２の先端部を結んだ線Ｌ２上に配置されている場合よりも、金鉱粒を多く回収することができる。
【００５４】
また、第２のリッフル３ｂは、第１の金線４０ａから外れた高比重で粒径の大きな金鉱粒が第２のリッフル３ｂを乗り越えることを防止するために、一部又は全てを第１のリッフル３ａよりも高く設けるようにしても良い。このような第２のリッフル３ｂは、第１の金線４０ａから外れた高比重で粒径の大きな金鉱粒が第２のリッフル３ｂをより乗り越え難くなるので、金鉱粒をより多く回収することができる。
【００５５】
また、第２のリッフル３ｂは、第１の金線４０ａから外れた高比重で粒径の大きな金鉱粒を再度第１の金線４０ａに戻すことができれば良く、平坦部１２に１個だけ配置されるようにしても良い。すなわち、第２のリッフル３ｂは、平坦部１２に少なくとも１個配置されていれば良い。
【００５６】
また、リッフル３は、リノリウムで形成されることに限定されるものではなく、従来公知のその他のゴム材料や樹脂材料や金属材料等で形成されるようにしても良い。更に、リッフル３は、長尺部材が取り付けられた本体シートが揺動テーブル２の上面２ａに取り付けられることで、揺動テーブル２の上面２ａに配置されることに限定されるものではなく、揺動テーブル２の上面２ａに直接的に取り付けて配置されるようにしても良い。更に、揺動テーブル２は、木製であることに限定されるものではなく、金属製や樹脂製であっても良い。
【実施例】
【００５７】
次に、揺動テーブルの上面の平坦部に各実施例毎に異なる第２のリッフルを配置したテーブル比重選鉱機により、金鉱石から金精鉱を回収した際の第１の金線の幅を測定すると共に全体の回収率を測定した。なお、本発明は下記の実施例に限定されるものではない。
【００５８】
［実施例１］
実施例１では、揺動テーブルの上面の平坦部に、図２〜図８に示すように、同じ長さの第２のリッフルを等間隔に５個配置したテーブル比重選鉱機により、下記試験条件において、金鉱石から金精鉱を回収した際の第１の金線の幅を測定すると共に全体の回収率を測定した。
【００５９】
＜試験条件＞
使用したテーブル比重選鉱機：Diester社製。
テーブル比重選鉱機の搖動  ：回数  １５０回／分
幅    ２．５４ｃｍ
処理した鉱石スラリー固形分：重量２０〜４０％
液性：中性（水と鉱石のスラリー）
鉱石スラリーの処理量      ：１５５ｋｇ／時間
鉱粒の計測方法            ：単位時間当たりの尾鉱回収分に含まれる鉱粒を１
００μｍで篩い分けて、１００μｍ以上の重量を測定し
た。
【００６０】
その結果、実施例１では、第１の金線の幅が２０ｍｍであり、全体の回収率が６０％であった。
【００６１】
すなわち、実施例１では、後述する比較例１の第１の金線の幅が３０ｍｍであったのに対して、第１の金線の幅が約２／３の幅となり、狭くなった。これは、第２のリッフルが障害となり、従来回収不能であった第２の金線に流れていた高比重で粒径の大きな金鉱粒が第１の金線として流れるようになり、第１の金線の流れと第２の金線の流れの重複が増加したからであると考えらえる。更に、実施例１では、従来回収不能だった粒径の大きな鉱粒のうちから金鉱粒を２０％回収することができ、後述する比較例１の全体の回収率が５０％であるので、比較例１よりも全体の回収率を向上させて金鉱石から金精鉱を多く回収することができた。
【００６２】
［実施例２］
実施例２では、揺動テーブルの上面の平坦部に、図９〜図１５に示すように、同じ長さの第２のリッフルを等間隔に７個配置したテーブル比重選鉱機を使用した以外は、実施例１と同様に、上記試験条件において、第１の金線の幅を測定すると共に全体の回収率を測定した。
【００６３】
その結果、実施例２では、第１の金線の幅が３０ｍｍであり、全体の回収率が６３％であった。
【００６４】
すなわち、実施例２では、第１の金線が後述する比較例１と同様の幅となったが、第１の金線と第２の金線の流れの重複程度が同じままで、第１の金線の幅が広がったため、仕切り板による回収の精度が向上したものと考えられる。更に、実施例２では、実施例１の全体の回収率が６０％であるので、第２のリッフルの数が実施例１よりも増加したのに伴い、実施例１よりも全体の回収率を向上させて金鉱石から金精鉱を多く回収することができた。
【００６５】
［実施例３］
実施例３では、揺動テーブルの上面の平坦部に、図１６〜図２２に示すように、第２のリッフルを第１のリッフルの中流リッフルから揺動テーブルの左側面までの全範囲に等間隔に複数個配置したテーブル比重選鉱機を使用した以外は、上記実施例１と同様に、上記試験条件において、第１の金線の幅を測定すると共に全体の回収率を測定した。
【００６６】
その結果、実施例３では、第１の金線の幅が３０ｍｍであり、全体の回収率が８２％であった。更に、実施例３では、第１の金線の幅が３０ｍｍのままだったが、第１の金線の流れ方向の直線性が向上したことが目視により確認できた。
【００６７】
すなわち、実施例３では、実施例２と同様に、第１の金線が後述する比較例１と同様の幅となったが、第１の金線と第２の金線の流れの重複程度が同じままで、第１の金線の幅が広がったため、仕切り板による回収の精度が向上したものと考えられる。更に、実施例３では、実施例１の全体の回収率が６０％であり、実施例２の全体の回収率が６３％であるので、第２のリッフルの数が実施例１，２よりも増加したのに伴い、実施例１，２よりも全体の回収率を向上させて金鉱石から金精鉱を多く回収することができた。これは、第２のリッフルの配置数が実施例１，２よりも増加したのに伴うことに加え、第１の金線の幅と、第１の金線と第２の金線の流れの重複程度は実施例２と同じだが、第１の金線の流れ方向の直線性が実施例１，２よりも向上したことにより、仕切り板による回収の精度が実施例１，２よりも更に向上したからであると考えられる。
【００６８】
［比較例１］
比較例１では、従来のテーブル比重選鉱機を使用した以外は、上記実施例１と同様に、上記試験条件において、第１の金線の幅を測定すると共に全体の回収率を測定した。
【００６９】
その結果、比較例１では、従来のテーブル比重選鉱機装置を使用したため、全体の回収率は５０％と不十分であった。これは、第１の金線の幅が実施例２，３と同様に３０ｍｍではあるが、第１の金線の流れと第２の金線の流れとの重複程度が低いためと考えられる。
【符号の説明】
【００７０】
１  テーブル比重選鉱機、２  揺動テーブル、２ａ  上面、２ｂ  下面、２ｃ  前側面、２ｄ  後側面、２ｅ  右側面、２ｆ  左側面、３  リッフル、３ａ  第１のリッフル、３ａ１  上流リッフル、３ａ２  中流リッフル、３ａ３  下流リッフル、３ｂ  第２のリッフル、４  給鉱樋、５  給水樋、６  堰、７  仕切り板、８  第１の尾鉱回収貯槽、９  第２の尾鉱回収貯槽、１０  精鉱回収貯槽、１１  揺動駆動機構、１２  平坦部、４０ａ  第１の金線、４０ｂ  尾鉱層、１０２  揺動テーブル、１０２ｃ  前側面、１０３  リッフル、１０４  給鉱樋、１０５  給水樋、１０７  仕切り板、１０８  第１の尾鉱回収貯槽、１０９  第２の尾鉱回収貯槽、１１０  精鉱回収貯槽、１１１  揺動駆動機構、１１２  平坦部、１４０ａ  第１の金線、１４０ｂ  尾鉱層、１４０ｃ  第２の金線
【図１】
2016068074.tif 000003
【図２】
2016068074.tif 000004
【図３】
2016068074.tif 000005
【図４】
2016068074.tif 000006
【図５】
2016068074.tif 000007
【図６】
2016068074.tif 000008
【図７】
2016068074.tif 000009
【図８】
2016068074.tif 000010
【図９】
2016068074.tif 000011
【図１０】
2016068074.tif 000012
【図１１】
2016068074.tif 000013
【図１２】
2016068074.tif 000014
【図１３】
2016068074.tif 000015
【図１４】
2016068074.tif 000016
【図１５】
2016068074.tif 000017
【図１６】
2016068074.tif 000018
【図１７】
2016068074.tif 000019
【図１８】
2016068074.tif 000020
【図１９】
2016068074.tif 000021
【図２０】
2016068074.tif 000022
【図２１】
2016068074.tif 000023
【図２２】
2016068074.tif 000024
【図２３】
2016068074.tif 000025
【図２４】
2016068074.tif 000026